(57)【要約】【課題】持ち運びが便利で、使用時にコンパクトに折り畳むことができ、化粧用具の取り出しが容易となる化粧用ブラシポーチを提供する。【解決手段】化粧用ブラシポーチ１０は、フラップ１１〜１３の外面１４〜１６が表側を向くように、左右のフラップ１１，１２を対向状に重ね合わせ可能に構成している。さらに、化粧用ブラシポーチ１０は、フラップ１１〜１３の縦方向の中央部１７〜１９で折り曲げてフラップ１１〜１３の外面上半部１４ａ〜１６ａと外面下半部１４ｂ〜１６ｂとを対向状に重ね合わせ、フラップ１１〜１３の内面下半部１１ｂ〜１３ｂが表側を向くように、左右のフラップ１１，１２を重ね合わせ可能となるように構成している。【選択図】　図４
2004057313.tif 000002
【特許請求の範囲】
【請求項１】
左右のフラップを背フラップを介して折り曲げ自在に連結し、これらのフラップの内面下半部にそれぞれ化粧用具を収納するポケットを設け、各フラップの外面が表側を向くように、左右のフラップを重ね合わせた状態で折り畳み可能に構成し、各フラップを平面状に展開した状態で、各フラップの縦方向の中央部で折り曲げて、各フラップの外面上半部と外面下半部とを互いに重ね合わせ可能に構成し、各フラップの内面下半部が表側を向くように、左右のフラップを重ね合わせた状態に折り畳み可能となるように構成したことを特徴とする化粧用ブラシポーチ。
【請求項２】
前記左右のフラップが縦方向の中央部で折り曲げ可能に構成されるとともに、左右のフラップが硬質素材で形成されていることを特徴とする請求項１に記載の化粧用ブラシポーチ。
【請求項３】
前記左右のフラップの一方の外面上半部及び外面下半部にそれぞれストラップを設け、これらのストラップの先端にファスナーを設け、前記左右のフラップの他方の外面上半部及び外面下半部にそれぞれ前記ファスナーと係止可能な対向ファスナーを設けたことを特徴とする請求項１又は２記載の化粧用ブラシポーチ。
【請求項４】
前記左右のフラップの内面上半部の少なくとも一方に、前記ポケットに収納した化粧用具の先端部を覆うことができる保護カバーを設けたことを特徴とする請求項１乃至３の何れかに記載の化粧用ブラシポーチ。
【請求項５】
前記保護カバーを左右のフラップの内面上半部に設けたことを特徴とする請求項１乃至４の何れかに記載の化粧用ブラシポーチ。
【発明の詳細な説明】
【０００１】
【発明の属する技術分野】
本発明は化粧用ブラシポーチに係り、特に化粧用具をまとめて携帯するのに便利で、さらに化粧用具を使う際には、ブラシポーチのポケットから簡単に取り出せるように構成した化粧用ブラシポーチに関する。
【０００２】
【従来の技術】
例えばコンパクトや口紅などの化粧用具をまとめて携帯するため、従来より化粧用ブラシポーチが使用されている。この化粧用ブラシポーチとしては、実開平７−３４７２２号公報「組合せバッグ」等が知られている。
【０００３】
この組合せバッグは、基体の内面に複数のポケットを設けており、これらのポケットにコンパクトや口紅などの種々の化粧用具を差し込んだ状態で、基体を折り畳むことができ、このようにして種々の化粧用具を基体内にまとめて収容するものである。
この組合せバッグを使用することにより、種々の化粧用具をまとめて持ち運ぶことができるようになる。
【０００４】
【発明が解決しようとする課題】
しかるに、従来の組合せバッグでは、化粧用具を使用する際には、組合せバッグを平面状に展開して使用するが、この組合せバッグを広げた場合には、組合せバッグが大きく広げられて場所を占領してしまう結果となっていた。
【０００５】
このため、組合せバッグを鏡台のテーブル上などの狭いスペースのところで広げると、組合せバッグだけでその場所を占領してしまうため、組合せバッグのポケットから取り出した化粧用具をテーブルに並べるスペースを確保できなくなるという問題点があった。
【０００６】
さらに、従来の組合せバッグから化粧用具を取り出すには、組合せバッグを平面状に展開して、ポケットに差し込んだ化粧用具を取り出さざるを得ないので、使い勝手に支障が出るという問題点があった。
【０００７】
本発明は、種々の化粧用具の持ち運びが便利となり、さらに化粧用具の使用時にはコンパクトに折り畳むことができるとともに、化粧用具の取り出しが容易となる化粧用ブラシポーチを提供して、上述の全ての問題点を解消しようとするものである。
【０００８】
【課題を解決するための手段】
上記目的を達成するために請求項１記載の発明は、左右のフラップを背フラップを介して折り曲げ自在に連結し、これらのフラップの内面下半部にそれぞれ化粧用具を収納するポケットを設け、各フラップの外面が表側を向くように、左右のフラップを重ね合わせた状態で折り畳み可能に構成し、各フラップを平面状に展開した状態で、各フラップの縦方向の中央部で折り曲げて、各フラップの外面上半部と外面下半部とを互いに重ね合わせ可能に構成し、各フラップの内面下半部が表側を向くように、左右のフラップを重ね合わせた状態に折り畳み可能となるように構成したことを特徴とする。
【０００９】
上記した本発明に係る化粧用ブラシポーチによれば、左右のフラップと背フラップに化粧用具を収納するポケットを設け、各フラップの外面が表側を向くように左右のフラップを重ね合わせた状態で折り畳み可能に構成したので、収納した化粧用具をフラップで覆うことになり、種々の化粧用具をまとめて持ち運ぶのに便利となる。
【００１０】
さらに、これらのフラップを中央部で折り曲げて各フラップの外面上半部と外面下半部とを対向状に重ね合わせ、それぞれのフラップの内面下半部が表側を向くように、左右のフラップを重ね合わせた状態に折り畳み可能に構成したので、
化粧用ブラシポーチをコンパクトにまとめることができ、この状態で鏡台のテーブル上に立設可能なスタンド型の化粧用ブラシポーチが完成する。これにより、鏡台のテーブル上などの狭いところで使用する場合でも、化粧用具をテーブルに並べるための余裕スペースを十分に確保できるようになる。
【００１１】
さらに、立設時には化粧用具の先端部をフラップの折り曲げ上端縁から上方に突出させることができるので、化粧用具の取り出しの使い勝手が向上するようになる。
【００１２】
請求項２の発明は、前記左右のフラップが縦方向の中央部で折り曲げ可能に構成されるとともに、左右のフラップが硬質素材で形成されていることを特徴とする。
【００１３】
左右のフラップを硬質素材で形成したので、化粧用ブラシポーチが手で掴みやすくなり、化粧用ブラシポーチの持ち運びや、化粧用具の取り出し行為をより簡単に行える。
さらに、左右のフラップを硬質素材で形成することで、左右のフラップをそれぞれ縦方向の中央部から簡単に折り曲げることができるようになる。
【００１４】
請求項３の発明は、前記左右のフラップの一方の外面上半部及び外面下半部にそれぞれストラップを設け、これらのストラップの先端にファスナーを設け、前記左右のフラップの他方の外面上半部及び外面下半部にそれぞれ前記ファスナーと係止可能な対向ファスナーを設けたことを特徴とする。
【００１５】
このため、フラップの外面が表側を向くように左右のフラップを重ね合わせた状態に折り畳んだ際に、ストラップのファスナーをフラップの対向ファスナーに係止させることができるので、左右のフラップが不用意に開くことを防止できる。
本発明においてファスナーとは、面ファスナー、ホック、又はこれに準ずるすべての係止用止め具を意味する。
【００１６】
さらに、フラップを縦方向の中央部で折り曲げて、それぞれのフラップの内面下半部が表側を向くように、左右のフラップを重ね合わせた状態に折り畳んだ際に、ストラップのファスナーをフラップの対向ファスナーに係止させることができるので、左右のフラップがこの場合にも不用意に開くことを防止できる。
また、化粧用具をポケットから取り出す操作や、化粧用具をポケットに戻す操作も簡単となる。
【００１７】
請求項４の発明は、前記左右のフラップの内面上半部の少なくとも一方に、前記ポケットに収納した化粧用具の先端部を覆うことができる保護カバーを設けたことを特徴とする。
【００１８】
ポケットに収納した化粧用具の先端部を保護カバーで覆うことができるので、例えば化粧用具として、化粧料を塗布するための刷毛などをポケットに収納した場合に、刷毛の部分を保護カバーで覆うことができ、刷毛に付着している化粧料がポーチに付着することを防止できる。
【００１９】
請求項５の発明は、前記保護カバーを左右のフラップの内面上半部に設けたことを特徴とする。
【００２０】
このように、保護カバーを左右のフラップに設けることで、ポケットに収納した刷毛の部分をより好適に覆うことができ、例えば刷毛に付着している化粧料がポーチに付着することを確実に防止できる。
【００２１】
【発明の実施の形態】
以下添付図面に基づいて、本発明に係る化粧用ブラシポーチの一実施の形態を詳説する。
図１は本発明に係る化粧用ブラシポーチを携帯状態に折り畳んだ例を示す斜視図、図２は同化粧用ブラシポーチを展開した例を示す斜視図、図３は同化粧用ブラシポーチの上半分を折り畳んだ例を示す斜視図、図４は同化粧用ブラシポーチを使用状態に折り畳んだ例を示す斜視図、図５は図４のＡ部の拡大図である。
【００２２】
図１〜図２に示す化粧用ブラシポーチ１０は、左右のフラップ１１，１２が背フラップ１３に折り曲げ自在に連結され、これらのフラップ１１〜１３の内面下半部１１ｂ〜１３ｂ（図２参照）にそれぞれ化粧用具２０〜３０を収納するためのポケット３１〜４４が設けられ、それぞれのフラップ１１〜１３の外面１４〜１６（図１参照）が表側を向くように、左右のフラップ１１，１２を重ね合わせた状態に折り畳み可能となるように構成したものである。
【００２３】
さらに、化粧用ブラシポーチ１０は、左右のフラップ１１，１２及び背フラップ１３を平面状に展開した状態（図２参照）で、図３に示すように各フラップ１１〜１３の縦方向の中央部１７〜１９で折り曲げて、各フラップ１１〜１３の外面上半部１４ａ〜１６ａと外面下半部１４ｂ〜１６ｂとを対向状に重ね合わせ、図４に示すように各フラップ１１〜１３の内面下半部１１ｂ〜１３ｂが表側を向くように、左右のフラップ１１，１２を重ね合わせた状態で折り畳み可能に構成したものである。
【００２４】
左右のフラップ１１，１２及び背フラップ１３は、それぞれ縦方向の中央部１７〜１９で折り曲げ可能に構成されるとともに硬質素材で形成されている。
【００２５】
また、図１、図２に示すように右フラップ１２の外面上半部１５ａ及び外面下半部１５ｂには、それぞれ第１、第２ストラップ５０，５１が備えられ、これら第１、第２ストラップ５０，５１の先端には第１、第２ファスナー５２，５３が設けられている。先にも述べたとおり、本発明においてファスナーとは、面ファスナー、ホック、又はこれに準ずるすべての係止用止め具を意味するが、図示の例としては面ファスナーを代表例として示した。
【００２６】
一方、左フラップ１１の外面上半部１４ａ及び外面下半部１４ｂには、それぞれ第１、第２ファスナー５２，５３と係止可能な第３、第４の対向ファスナー５４，５５（符号５４は図２参照）が設けられている。
【００２７】
さらに、図２及び図３に示すように、左右のフラップ１１，１２の内面上半部１１ａ，１２ａには、それぞれのポケット３１〜４４に収納した各化粧用具２０〜３０の先端部を覆うことができる左右の保護カバー５７，５８が設けられている。
左右の保護カバー５７，５８は、一例として透明な樹脂プレートで形成されている。
【００２８】
つぎに、この化粧用ブラシポーチ１０の使用例を説明する。
まず、化粧用ブラシポーチ１０を利用して各化粧用具２０〜３０を持ち運ぶ場合には、図２に示すように左右のフラップ１１，１２を開いた後、各ポケット３１〜４４に化粧用具２０〜３０を個別に収納する。
【００２９】
つぎに、図１に示すように左右のフラップ１１，１２の外面１４，１５が表側を向くように左右のフラップ１１，１２を重ね合わせた状態で閉じ、第１、第２ストラップ５０，５１の第１、第２ファスナー５２，５３を、左フラップ１１の第３、第４の対向ファスナー５４，５５（符号５４は図２参照）に係止する。
【００３０】
このようにして、各化粧用具２０〜３０を左右のフラップ１１，１２で覆うことができ、さらに第１、第２ストラップ５０，５１で左右のフラップ１１，１２が不用意に開くことを防止する。
さらに、左右のフラップ１１，１２は硬質素材で形成されているので、化粧用ブラシポーチ１０を手で簡単に掴むことができる。
【００３１】
また、左右のフラップ１１，１２の内面上半部１１ａ，１２ａには、それぞれ左右の保護カバー５７，５８を設けたので、各ポケット３１〜４４に収納した各化粧用具２０〜３０の先端の刷毛部２０ａ，２１ａ，２２ａ，２５ａ，２６ａ（図３、図４参照）を、図２に示すように左右の保護カバー５７，５８で確実に覆うことができる。
【００３２】
これにより、各化粧用具２０〜３０のうちの刷毛部２０ａ，２１ａ，２２ａ，２５ａ，２６ａに付着している化粧料が、ポーチに付着することを防止でき、種々の化粧用具２０〜３０の保持に大変好都合となる。
また、左右の保護カバー５７，５８は、一例として透明樹脂プレートで形成されているので、ポーチ全体が違和感のない自然な雰囲気のものに仕立てられる。
【００３３】
ついで、化粧用ブラシポーチ１０から各化粧用具２０〜３０を取り出して使用する場合には、左右のフラップ１１，１２及び背フラップ１３を平面状に展開して、図３に示すように各フラップ１１〜１３の縦方向の中央部１７〜１９で折り曲げる。
【００３４】
その後、図４に示すように各フラップ１１〜１３の内面下半部１１ｂ〜１３ｂが表側を向くように、左右のフラップ１１，１２を対向状に重ね合わせた状態に折り畳む。
ここで、左右のフラップ１１，１２は硬質素材で形成されているので、左右のフラップ１１，１２をそれぞれの縦方向の中央部１７，１８から簡単に折り曲げることができる。
【００３５】
続いて、図５に示すように第１、第２ストラップ５０，５１の第１、第２ファスナー５２，５３を左フラップ１１の第３、第４の対向ファスナー５４，５５に係止させる。
このようにして、左右のフラップ１１，１２を第１、第２ストラップ５０，５１でつなぐことができるので、左右のフラップ１１，１２が不用意に開くことを防止できる。
【００３６】
これら左右のフラップ１１，１２は硬質素材で形成されているので、一例として化粧台のテーブル（図示せず）に、図４に示す姿勢で安定的に立設させることができる。
さらに、左右のフラップ１１，１２を硬質素材で形成することで、左右のフラップ１１，１２を掴みやすくすることもできる。
【００３７】
よって、各化粧用具２０〜３０をポケット３１〜４４から簡単に取り出すことができ、かつ取り出した各化粧用具２０〜３０を確実にポケット３１〜４４に収納することができるようになる。
【００３８】
また、第１、第２ストラップ５０，５１で左右のフラップ１１，１２が不用意に開くことを防止して、化粧用ブラシポーチ１０を確実にコンパクトにまとめることができる。
【００３９】
本発明の化粧用ブラシポーチ１０のポケット３１〜４４から取り出した化粧用具２０〜３０は、一例として化粧台のテーブル（図示せず）に並べる際に、その余裕スペースを確保することができるので、化粧用ブラシポーチ１０の使い勝手の向上が図られる。
【００４０】
なお、前記実施の形態では、左右のフラップ１１，１２の内面上半部１１ａ，１２ａに、各左右の保護カバー５７，５８を設けた例に付いて説明したが、これに限られずに、左右のフラップ１１，１２のいずれか一方に保護カバーを設けるようにすることも可能である。
【００４１】
【発明の効果】
以上述べたように、請求項１による化粧用ブラシポーチによれば、左右のフラップと背フラップに化粧用具を収納するポケットを設け、各フラップの外面が表側を向くように左右のフラップを対向状に重ね合わせた状態に折り畳み可能に構成したので、種々の化粧用具をまとめて収容することができ、化粧用具の持ち運びが便利になるという効果がある。
【００４２】
さらに、これらのフラップを縦方向の中央部で折り曲げて各フラップの外面上半部と外面下半部とを対向状に重ね合わせ、それぞれのフラップの内面下半部が表側を向くように、左右のフラップを重ね合わせた状態に折り畳み可能に構成したので、化粧用ブラシポーチをコンパクトにまとめることができ、この状態で鏡台のテーブル上に立設できるスタンド型のブラシポーチとすることができ、鏡台のテーブル上などの狭いところで使用する際に、化粧用ブラシポーチのポケットから取り出した化粧用具をテーブルに並べるための余裕スペースを確保することができる。
【００４３】
さらに、スタンド型のポーチ形態を採用するとともに、立設時には化粧用具の先端部を折り曲げ上端縁から上方に突出させることができるので、化粧用具をポケットから取り出したり、収納することが容易となり、化粧用具の使用が大変便利になる効果がある。
【００４４】
請求項２は、左右のフラップが硬質素材で形成されているので、化粧用ブラシポーチを手で掴みやすくでき、これにより化粧用ブラシポーチの持ち運びが一層便利になるとともに、化粧用具をポケットからより簡単に出し入れできるという効果がある。
【００４５】
さらに、左右のフラップを硬質素材で形成することで、左右のフラップをそれぞれ縦方向の中央部から簡単に折り曲げることができ、化粧用ブラシポーチの使い勝手を向上させることができるという効果がある。
【００４６】
請求項３は、フラップの外面が表側を向くように左右のフラップを対向状に重ね合わせた状態で折り畳んだ際に、ストラップのファスナーをフラップの対向ファスナーに係止させることができる。
これにより、左右のフラップをストラップでつないで、左右のフラップが不用意に開くことを防止でき、化粧用具の持ち運びが一層便利になる。
【００４７】
さらに、フラップを中央部で折り曲げて、それぞれのフラップの内面下半部が表側を向くように、左右のフラップを重ね合わせた状態で折り畳んだ際に、ストラップのファスナーをフラップの対向ファスナーに係止させることができる。
【００４８】
これにより、左右のフラップをストラップでつなぐことができるので、左右のフラップが不用意に開くことを防止できる。
また、化粧用ブラシポーチを確実にコンパクトにまとめることができるので、化粧用ブラシポーチのポケットから取り出した化粧用具をテーブルに並べる余裕スペースを確実に確保できるという効果がある。
加えて、化粧用具をポケットから取り出す操作や、化粧用具をポケットに戻す操作が容易になるので、化粧用具の使用が一層便利になるという効果がある。
【００４９】
請求項４は、ポケットに収納した化粧用具の先端部を保護カバーで覆うことができるので、例えば化粧用具として、化粧料を塗布する刷毛などをポケットに収納した場合に、刷毛の部分を保護カバーで覆うことができ、刷毛に付着している化粧料がポーチに付着することがないので、クリーンに保つことができるという効果がある。
【００５０】
請求項５は、保護カバーを左右のフラップに設けることで、ポケットに収納した化粧用具の刷毛の部分をより好適に覆うことができ、刷毛に付着している化粧料がポーチに付着することがないので、クリーンに保つことができるという効果がある。
【図面の簡単な説明】
【図１】本発明に係る化粧用ブラシポーチを携帯状態に折り畳んだ例を示す斜視図である。
【図２】同化粧用ブラシポーチを開いた例を示す斜視図である。
【図３】同化粧用ブラシポーチの上半分を折り畳んだ例を示す斜視図である。
【図４】同化粧用ブラシポーチを使用状態に折り畳んだ例を示す斜視図である。
【図５】図４のＡ部の拡大図である。
【符号の説明】
１０…化粧用ブラシポーチ
１１…左フラップ
１１ａ…左フラップの内面上半部
１１ｂ…左フラップの内面下半部
１２…右フラップ
１２ａ…右フラップの内面上半部
１２ｂ…右フラップの内面下半部
１３…背フラップ
１３ａ…背フラップの内面上半部
１３ｂ…背フラップの内面下半部
１４…左フラップの外面
１４ａ…左フラップの外面上半部
１４ｂ…左フラップの外面下半部
１５…右フラップの外面
１５ａ…右フラップの外面上半部
１５ｂ…右フラップの外面下半部
１６…背フラップの外面
１６ａ…背フラップの外面上半部
１６ｂ…背フラップの外面下半部
１７…左フラップの縦方向の中央部
１８…右フラップの縦方向の中央部
１９…背フラップの縦方向の中央部
２０〜３０…化粧用具
２０ａ，２１ａ，２２ａ，２５ａ，２６ａ…化粧用具の刷毛部
３１〜４４…ポケット
５０…第１ストラップ
５１…第２ストラップ
５２…第１ファスナー
５３…第２ファスナー
５４…第３対向ファスナー
５５…第４対向ファスナー
５７…左保護カバー
５８…右保護カバー
【図１】
2004057313.tif 000003
【図２】
2004057313.tif 000004
【図３】
2004057313.tif 000005
【図４】
2004057313.tif 000006
【図５】
2004057313.tif 000007